(57)【要約】      （修正有）【課題】展示用や装飾用に用いる噴水を用いた浮遊体において、人目を引き、環境教育の一助にも役立つ浮遊体を提供する。【解決手段】水流を噴射する噴水部２と、噴水部２から噴射する水流Ａを受けて浮遊する浮遊体１とから成り、浮遊体１は比重が１以下である物質で形成されると共に、浮遊体１の全体表面が曲面によって形成され、更に、浮遊体１は、１つ球体が他の３つの球体と密着して接合させた４つの球体から成り、更に、噴水部２を透明円筒容器３の下方に設け、浮遊体１を透明円筒容器３の中で浮遊させ、更には、水流Ａを噴射する噴水部２の動力源の電力に並設した太陽電池４が発電する電力を用い、加えて、照明用の光源５を設けたものである。【選択図】図１
2011197391.tif 000002
【特許請求の範囲】
【請求項１】
直上に水流を噴射する噴水部と、該噴水部から噴射する水流を受けて浮遊する浮遊体とから成り、前記浮遊体は比重が１以下である物質で形成されると共に、前記浮遊体の全体表面が曲面によって形成されたことを特徴とする浮遊体。
【請求項２】
前記浮遊体は、夫々の１つ球体が他の３つの球体と密着するように接合させた４つの球体から成ることを特徴とする請求項１に記載の浮遊体。
【請求項３】
前記噴水部を透明円筒容器の下方に設け、前記浮遊体を前記透明円筒容器の中で浮遊させることを特徴とする請求項１又は請求項２に記載の浮遊体。
【請求項４】
前記直上に水流を噴射する噴水部を構成する水流の動力源の電力に前記透明円筒容器に並設した太陽電池が発電する電力を用いることを特徴とする請求項３に記載の浮遊体。
【請求項５】
前記透明円筒容器の頂部を蓋体で閉蓋し、該蓋体の下面に、又は、噴水部の近傍に、照明用の光源を設けたことを特徴とする請求項３又は請求項４に記載の浮遊体。
【発明の詳細な説明】
【技術分野】
【０００１】
本発明は、空中に浮遊する浮遊体に関するものであり、更に詳細には、イベント会場の展示用や、ロビー、応接室の装飾用として、また、保育園、幼稚園、小学校等の環境教育目的として用いられる、噴水の上で落ちることなく浮遊する浮遊体に関するものである。
【背景技術】
【０００２】
従来、この種の水に浮遊する浮遊体としては、水面に浮かべて用いる玩具程度のものであり、また、展示用や装飾用としてもＬＥＤ等を用いた光によるものが多く、関心を示すことが少なくなっている。
【０００３】
例えば、先に開示されている浮遊体としては、開口駆動部１に、チューブ連結パイプ６を介して連結された透明チューブ２を連結して循環水路を形成し、水路内に水を満たしたときに、水流発生器３によって生じた循環水流に水中浮遊体４を投入して、水路内を移動させることを可能とするもの（特許文献１参照）や、気密に構成される本体１の内側に発泡剤ａを収容する収容部が形成され、底部には水の取り入れ口３が形成され、その内側に内圧によってこれを閉塞する閉塞弁４が設けられ、上部には排気口５が形成され、これに対向する位置に浮子６を有する閉塞弁７が設けられ、本体１の上部に噴水口８と、その内側に向かう所定の長さの導水路９が形成されているもの（特許文献２参照）や、開閉蓋２ｃのある浮遊容器本体２と、その底部で内外に連通して設けられる噴射口３とから成る浮遊体１と、浮遊容器本体２に収められる入浴剤５とから成る。そして、噴射口３は浮遊体１を直進させるものから、回転させるものがあり、このほか、浮遊体１を回転させながら照明手段で照明するもの（特許文献３参照）等が開示されている。
【特許文献１】登録実用新案第３０３５２９０号公報
【特許文献２】実開平６−２３５９６号公報
【特許文献３】特開２００７−８２９６７号公報
【発明の開示】
【発明が解決しようとする課題】
【０００４】
然し乍ら、前述の開示されている特許文献１に記載のものでは、透明チューブ２を連結して循環水路を形成し、水流発生器３によって生じた循環水流に水中浮遊体４を投入して、水路内を移動させることを可能とするものであるが、単に、水流の循環と共に水中浮遊体４が循環しているもので、更に、特許文献２に記載のものは、浮遊体と噴水を備えたものであるが、水面に浮遊させた浮遊体に噴水口を設けて噴水させるものであり、水面に浮かべる泳動玩具であり、特許文献３に記載のものも、浮遊体と噴射口を備えたものであるが、水面に浮遊させた浮遊体を噴射口より水を噴射させて前進、回転を浮遊玩具であり、夫々特許文献は幼児や子供が遊ぶための玩具にしか過ぎないもので、また、展示用や装飾用のものとしてもマンネリ化しており、人目を引き、関心を持つものは無かった。
【課題を解決するための手段】
【０００５】
本発明は前記課題に鑑み、鋭意研鑽の結果、これらの課題を解決するもので、直上に水流を噴射する噴水部と、噴水部から噴射する水流を受けて浮遊する浮遊体とから成り、浮遊体は比重が１以下である物質で形成されると共に、浮遊体の全体表面が曲面によって形成されものであり、更に、浮遊体は、夫々の１つ球体が他の３つの球体と密着するように接合させた４つの球体から成るものであり、更には、噴水部を透明円筒容器の下方に設け、浮遊体を透明円筒容器の中で浮遊させるものであり、加えて、直上に水流を噴射する噴水部を構成する水流の動力源の電力に透明円筒容器に並設した太陽電池が発電する電力を用いるものであり、更には、透明円筒容器の頂部を蓋体で閉蓋し、蓋体の下面に又は噴水部の近傍に照明用の光源を設けたものである。
【発明の効果】
【０００６】
本発明の浮遊体は、全体表面が曲面によって形成されたもので、下方に設けた噴水部から水流を受け落ちることなく水流の上方で恰も水流に引き寄せられるように不規則に自転、公転を繰り返しながら浮遊するものであり、更に、透明円筒容器を設けたことによって周りに水が飛び散ることなく、室内にも装飾用や展示用として設置することができ、更には、太陽電池を並設したことにより、噴水部の水流の動力源の電力を得ることができ、太陽電池が発電する電力により水流の高さが変化して浮遊体の位置が変化することを幼児や子供に確認させることができ環境教育の一助にも役立つもので、また、不思議な光景をみるようで人目を引くことから展示用や装飾用に用いることができ、加えて、ＬＥＤ等による光源を設けて可視光線や紫外線を照射し、浮遊体に蛍光カラーやレインボーカラーを着色することにより、幻想的な照明効果を得ることができ、画期的で実用性の高い有効な発明である。
【発明を実施するための最良の形態】
【０００７】
以下、本発明の浮遊体の実施の形態を図面によって具体的に説明すると、図１は本発明の浮遊体の実施例の透明円筒容器を用いた正面図であり、図２は本発明の浮遊体の実施例の平面図であり、図３は本発明の浮遊体の実施例の原理を説明する説明図である。
【０００８】
本発明は、空中を浮遊する浮遊体１に関するものであり、更に詳細には、イベント会場の展示用や、ロビー、応接室の装飾用として、また、保育園、幼稚園、小学校等の環境教育目的として用いられる、噴水の上で落ちることなく浮遊する浮遊体１に関するものであり、請求項１に記載の浮遊体は、直上に水流を噴射する噴水部２と、該噴水部２から噴射する水流Ａを受けて浮遊する浮遊体１とから成り、前記浮遊体１は比重が１以下である物質で形成されると共に、前記浮遊体１の全体表面が曲面によって形成されたことを特徴とするものである。
【０００９】
更に、請求項２に記載の浮遊体は、請求項１に記載の浮遊体において、前記浮遊体１は、夫々の１つ球体１ａが他の３つの球体１ｂ．１ｃ．１ｄと密着するように接合させた４つの球体１ａ．１ｂ．１ｃ．１ｄから成ることを特徴とするものである。
【００１０】
更には、請求項３に記載の浮遊体は、請求項１又は請求項２に記載の浮遊体において、前記噴水部２を透明円筒容器３の下方に設け、前記浮遊体１を前記透明円筒容器３の中で浮遊させることを特徴とするものである。
【００１１】
加えて、請求項４に記載の浮遊体は、請求項３に記載の浮遊体において、前記直上に水流Ａを噴射する噴水部２を構成する水流Ａの動力源の電力に前記透明円筒容器３に並設した太陽電池４が発電する電力を用いることを特徴とするものである。
【００１２】
更には、請求項５に記載の浮遊体は、請求項３又は請求項４に記載の浮遊体において、前記透明円筒容器３の頂部を蓋体３ａで閉蓋し、該蓋体３ａの下面に、又は、噴水部の近傍に、照明用の光源５を設けたことを特徴とするものである。
【実施例】
【００１３】
即ち、本発明の浮遊体の噴水部２は、直上に水流Ａを噴射するもので、下方に水を蓄えるカップ状の水槽２ａを備え、該水槽２ａの中には水流Ａを噴射させるために電源と電気的に接続された水中ポンプ２ｂを備え、該水中ポンプ２ｂによりの水を上方に噴射するためのノズル２ｃ等を組み込んでいるものである。
【００１４】
そして、浮遊体１は、前記噴水部２から噴射する水流Ａを受けて、水流Ａに引き寄せられるように水流Ａの上方で不規則に公転と自転をしながら浮遊する浮遊体１とから成るものである。
【００１５】
その浮遊体１は、例えば、発泡スチロールのような比重が１以下である物質で形成されるものであり、更に、浮遊体１の全体表面が凸曲面からなる曲面によって形成されているものである。
【００１６】
つまり、粘性のある流体（水）の中に物体をおいたときに、その流体は物体の表面の曲面に沿った向きに流れが変わる性質があり、コアンダ効果と言われているものである。
【００１７】
更に、実施例においての浮遊体１は、図２〜３に図示するように、４つの球体１ａ．１ｂ．１ｃ．１ｄから成り、夫々の１つ球体１ａが他の３つの球体１ｂ．１ｃ．１ｄと夫々密着するように接合させたものである。
【００１８】
本発明の浮遊体の浮遊の原理を説明すると、図３に図示するように、水流Ａが噴水部２で形成され、該水流Ａの上方に浮遊体１を置くと、水流Ａにより上方向に圧力ａが働き、これに対して浮遊体１の重力ｂが下方向に働き、圧力差はａ−ｂ＝ｅと成るものであるが、浮遊体１が浮遊する位置は圧力差ｅが０と成る位置であり、つまり、水流Ａの圧力ａは上方に行くほど低くなり、ａ＝ｂと成る位置に浮遊体１は留まって浮遊するものである。
【００１９】
更には、浮遊体１が水流Ａに接触している側の大気圧ｃとすると、水流Ａに接触していない側の大気圧ｄと成り、その大気圧差はｄ−ｃ＝ｆと成り、大気圧差ｆが浮遊体１を水流Ａの方向に押しやる力が働くものである。
【００２０】
前述のことから、浮遊体１が浮遊する力ｅと浮遊体１が水流Ａの方向に働く大気圧差ｆとの合成ベクトルｇとなり、浮遊体１は水流Ａに引き寄せられると共に、浮遊体１が浮遊する力ｅが釣り合うａ＝ｂと成る位置まで上昇して留まり水流Ａにより不規則に自転と水流Ａの周囲を公転をしながら、水流Ａの上方で空中を浮遊するものであり、原理的にはコアンダ効果と称されているものである。
【００２１】
次に、透明円筒容器３は、アクリル樹脂等の透明性が良い合成樹脂又は透明硝子で形成したもので、下方には噴水部２を備えており、浮遊体１を透明円筒容器３の中で浮遊させるもので、水流Ａが飛び散ることも無く、また、浮遊体１が落下するようなことがあって外に転げ落ちることが無くなるものであり、室内のロビーや応接室の装飾用として用いて好適なものである。
【００２２】
次いで、太陽電池４は電気的に接続した電圧等を制御するコントローラーを介装して透明円筒容器２に並設されているもので、太陽光により発電をして、その電力を直上に水流Ａを噴射するための噴水部２を構成する水流Ａの動力源とするものであり、太陽電池４の発電量により噴水部２に供給する電力が変化して水流Ａの高さの変化を実感することができ、子供らが興味を示すものである。
【００２３】
更に、照明用の光源５は、透明円筒容器３の頂部を蓋体３ａで閉蓋し、蓋体３ａの下面に、又は、噴水部の近傍に、設けたもので、電源と電気的に接続されたＬＥＤが好適で浮遊体１に蛍光カラーやレインボーカラーを施すことにより、幻想的な雰囲気を醸し出すものである。
【産業上の利用可能性】
【００２４】
本発明は、全体表面が曲面によって形成されたもので、下方に設けた噴水部から水流を受け落ちることなく水流の上方で恰も水流に引き寄せられるように不規則に自転、公転を繰り返しながら浮遊するものであり、更に、透明円筒容器を設けたことによって周りに水が飛び散ることなく、室内にも装飾用や展示用として設置することができ、更には、太陽電池を並設したことにより、噴水部の水流の動力源の電力を得ることができ、太陽電池が発電する電力により水流の高さが変化して浮遊体の位置が変化することを幼児や子供に確認させることができ環境教育の一助にも役立つもので、また、不思議な光景をみるようで人目を引くことから展示用や装飾用に用いることができ、加えて、ＬＥＤ等による光源を設けて可視光線や紫外線を照射し、浮遊体に蛍光カラーやレインボーカラーを着色することにより、幻想的な照明効果を得ることができる浮遊体を提供するものである。
【図面の簡単な説明】
【００２５】
【図１】図１は本発明の浮遊体の実施例の透明円筒容器を用いた正面図である。
【図２】図２は本発明の浮遊体の実施例の平面図である。
【図３】図３は本発明の浮遊体の実施例の原理を説明する説明図である。
【符号の説明】
【００２６】
Ａ      水流
１      浮遊体
１ａ    球体
１ｂ    球体
１ｃ    球体
１ｄ    球体
２      噴水部
２ａ    水槽
２ｂ    水中ポンプ
２ｃ    ノズル
３      透明円筒容器
３ａ    蓋体
４      太陽電池
５      光源
【図１】
2011197391.tif 000003
【図２】
2011197391.tif 000004
【図３】
2011197391.tif 000005